(57)【要約】【課題】振動により報知・誘導して、調理器具と加熱装置の位置関係が最も効率よく加熱できる状態にすることで、省電力可能な電磁調理器を提供する。【解決手段】調理器具の位置をセンサ２０１で捕捉し、調理器具１０１と加熱装置との位置関係が最も効率よく加熱できる位置になるように、調理器具の載置位置と加熱装置が最も効率よく加熱できる載置位置との比較する位置判定手段２０５と、調理器具が最も効率的に加熱が可能な位置に配置できたことを報知する報知制御手段２０６とを備え、トッププレート１０２を振動させて報知または誘導する。【選択図】図１
2011124116.tif 000002
【特許請求の範囲】
【請求項１】
調理する食材を収容する調理器具を載置するトッププレートと、前記調理器具を電磁誘導により加熱させるための加熱装置を持つ電磁調理器において、前記調理器具の前記トッププレート上における配置位置の状態を検出する調理器具検知手段と、前記トッププレートを振動させる振動装置と、前記調理器具検知手段により検出した前記調理器具の前記トッププレート上の配置位置と前記加熱装置が最も効率的に前記調理器具を加熱できる配置位置とを比較する位置判定手段とを備え、前記調理器具を最も効率的に加熱ができる位置に配置したときに前記振動装置により前記トッププレートを振動させて前記調理器具に振動を伝播させることにより、使用者に前記調理器具が最も効率的に加熱が可能な位置に配置できたことを報知する報知制御手段を備えた電磁調理器。
【請求項２】
前記調理器具が最も効率的に加熱が可能な位置から外れた位置に配置されているときに前記振動装置により、前記トッププレートを振動させて前記調理器具に振動を伝播させることにより、使用者に前記調理器具が最も効率的に加熱が可能な位置から外れた位置に配置されたことを報知する報知制御手段を備えた請求項１に記載の電磁調理器。
【請求項３】
前記調理器具を最も効率的に加熱できる位置から最も外れた位置に配置されているときに前記振動装置により前記調理器具を最も強く振動させ、前記調理器具が最も効率的に加熱できる位置に近づいた位置に移動された場合には振動を弱くすることにより、使用者が前記調理器具を最も効率的に加熱できる位置に配置できるように誘導・報知する報知制御手段を備えた請求項２に記載の電磁調理器。
【請求項４】
前記調理器具を最も効率的に加熱できる位置から最も外れた位置と、前記調理器具が最も効率的に加熱できる位置との間で、前記調理器具が最も効率的に加熱できる位置に移動するごとに段階的に異なる振動パターン（振動時間、振動間隔、振動の強弱の組合せ）で振動させることにより、使用者が前記調理器具を最も効率的に加熱できる位置に配置できるように誘導・報知する報知制御手段を備えた請求項２に記載の電磁調理器。
【請求項５】
調理する食材を収容する調理器具を載置するトッププレートと、前記調理器具を電磁誘導により加熱させるための加熱装置を持つ電磁調理器において、前記調理器具の前記トッププレート上における配置位置の状態を検出することができる調理器具検知手段と、前記トッププレートを振動させる複数の振動装置と、前記調理器具検知手段により検出した前記調理器具の前記トッププレート上の配置位置と、前記加熱装置が最も効率的に前記調理器具を加熱できる配置位置とを比較する位置判定手段とを備え、前記調理器具が最も効率的に加熱できる位置から外れた位置に配置されているとき、前記複数の振動装置の中から最も前記調理器具に近い振動装置を強く振動させ、前記トッププレートを振動させて前記調理器具に振動を伝播させることにより、使用者に前記調理器具が最も効率的に加熱できる位置から外れた位置に配置されたことおよびどちらの方向に前記調理器具を移動させるべきかを報知・誘導することができる報知制御手段を備えた電磁調理器。
【発明の詳細な説明】
【技術分野】
【０００１】
本発明は、調理する食材を収容する調理器具を載置するトッププレートと、前記調理器具を電磁誘導により加熱させるための加熱装置を備え、前記加熱装置からの電磁力によって前記調理器具を加熱することで食材を調理する電磁調理器に関するものである。
【背景技術】
【０００２】
従来、この種の電磁調理器は、前記調理器具を前記トッププレートに載置する際に、前記トッププレートの下に位置する加熱コイルとの位置が最適に配置されていなかった場合に、効率的な加熱ができないと言う課題を解決するために、前記調理器具を検知するセンサ回路を具備して、前記調理器具が前記トッププレートおよび前記加熱コイルの上方にあるかを検知し、また、加熱装置が最も効率的に加熱できる位置をトッププレート上にＬＥＤなどで表示することで報知している。
【０００３】
図９は、従来の電磁調理器のブロック図を示すものである。図９に示すように、調理する食材を収容する調理器具３０１は、平坦なトッププレート３０２に載置される。通常、電磁調理器では、前記トッププレート３０２はスモーク耐熱ガラスなどの材質で構成されている。
【０００４】
ガスコンロなどと異なり載置するための台座がないことを外観上の特徴としている。また、加熱は前記トッププレート３０２の下に配置される駆動コイル３０４からの電磁波で前記調理器具３０１を直接加熱させて行う。
【０００５】
加熱を指示すると、制御回路３０７は、加熱駆動回路３０６に加熱制御信号ｂによって前記駆動コイル３０４で電磁波を発生させるための加熱駆動信号ｃを出力させる。このため、ガスコンロなどと異なり、直接火やガスを使わず安全で、見た目にも調理器具を載置するための台座がなく平坦な形状に構成することができるという外観上の特徴を有している。
【０００６】
また、加熱に際して、前記駆動コイル３０４を直下とする位置に前記調理器具３０１を載置することで、最も効率よく加熱を行うことができるものである。一方で、商品外観上の観点から前記駆動コイル３０４がユーザーから直接見えないように前記トッププレート３０２は表面処理がされている。
【０００７】
そのため、ユーザーは、直接見えない前記駆動コイル３０４の真上にあたる場所に前記調理器具３０１を適切に載置する必要があり、従来は加熱前、または加熱時に前記トッププレート３０２の表面にガイド表示を施したり、表面処理の一部を透過にして前記トッププレート３０２の下にＬＥＤ等を置いて表示する等の手段によって、ユーザーに前記調理器具３０１の適切な載置位置を報知している。
【０００８】
以上のような構成の電磁調理器において、前記調理器具３０１を適切に載置するための報知方法について、説明する。図９において、ＬＥＤ３０３にてユーザーに前記調理器具３０１の適切な載置位置を報知している。
【０００９】
前記制御回路３０７は、加熱前、または加熱時にＬＥＤ制御信号ａをＬＥＤ駆動回路３０５に送り、前記ＬＥＤ３０３を点灯させる。これにより、上から見た前記駆動コイル３０４と前記ＬＥＤ３０３の配置状態からも解るようにＬＥＤ３０３の表示に合わせて前記調理器具３０１を載置すれば、加熱が最も効率よく行える位置に載置できるように構成している。なお、トッププレートの下からＬＥＤなどを点灯させて、ユーザーが調理器具を最適な位置に載置できるようにする構成については、例えば、特許文献１に記載されている。
【先行技術文献】
【特許文献】
【００１０】
【特許文献１】特開２００７−６６８８号公報
【発明の概要】
【発明が解決しようとする課題】
【００１１】
しかしながら、上記従来の構成では、前記調理器具３０１が大きい場合には前記トッププレート３０２の上の表示が、載置した前記調理器具３０１自体によって隠されてしまい、最も効率的に加熱できる場所に載置できない場合があった。
【００１２】
また、前記トッププレート３０２の表示では、前記調理器具３０１の手前側は良く見えるが、奥側の位置を正確に合わせることは困難であった。また、視力にハンディキャップを持つ人やレシピを見ながらの調理に際しても、ＬＥＤなどの表示では正確に調理器具の載置ができず、そのため加熱効率が十分発揮できない場合があるという課題を有していた。
【００１３】
本発明は、前記従来の課題を解決するもので、調理器具の大きさや形状によらずトッププレートからの振動によって、調理器具と加熱装置との位置関係が最も効率よく加熱できる状態になるように報知または誘導することで、より精度よく加熱効率のよい位置で調理をすることができ、それによって省電力を行うことが可能な電磁調理器を提供することを目的とする。
【課題を解決するための手段】
【００１４】
前記従来の課題を解決するために、本発明の電磁調理器は、調理器具の載置位置を検出できる調理器具検知手段と、トッププレートに振動を発する振動装置と、調理器具検知手段により検出した調理器具の載置位置と加熱装置が最も効率よく加熱できる載置位置との比較を行う位置判定手段と、調理器具を最も効率的に加熱ができる位置に配置したときに前記振動装置により前記トッププレートを振動させて前記調理器具に振動を伝播させることにより、使用者に前記調理器具が最も効率的に加熱が可能な位置に配置できたことを報知する報知制御手段を備えたものである。
【００１５】
これによって、調理器具の大きさや形状によらずトッププレートからの振動によって、調理器具と加熱装置との位置関係が最も効率よく加熱できる状態になるように報知または誘導するので、より精度よく加熱効率のよい位置で調理をすることができる。
【発明の効果】
【００１６】
本発明の電磁調理器は、調理器具の大きさや形状によらずトッププレートからの振動によって、調理器具と加熱装置との位置関係が最も効率よく加熱できる状態になるように報知または誘導することで、より精度よく加熱効率のよい位置で調理をできることで省電力を行うことができ、更に目の不自由な人やレシピを見ながらの調理においても精度よく加熱効率のよい位置で調理をすることができる。
【図面の簡単な説明】
【００１７】
【図１】本発明の実施の形態１における電磁調理器のブロック図
【図２】本発明の実施の形態１における電磁調理器の制御手順図
【図３】本発明の実施の形態２における電磁調理器の制御手順図
【図４】本発明の実施の形態３における電磁調理器のブロック図
【図５】本発明の実施の形態３における電磁調理器の制御手順図
【図６】本発明の実施の形態４における電磁調理器のブロック図
【図７】本発明の実施の形態４における電磁調理器の制御手順図
【図８】本発明の実施の形態５における電磁調理器のブロック図
【図９】従来の電磁調理器のブロック図
【発明を実施するための形態】
【００１８】
第１の発明は、調理する食材を収容する調理器具を載置するトッププレートと、前記調理器具を電磁誘導により加熱させるための加熱装置を持つ電磁調理器において、前記調理器具の前記トッププレート上における配置位置の状態を検出する調理器具検知手段と、前記トッププレートを振動させる振動装置と、前記調理器具検知手段により検出した前記調理器具の前記トッププレート上の配置位置と前記加熱装置が最も効率的に前記調理器具を加熱できる配置位置とを比較する位置判定手段とを備え、前記調理器具を最も効率的に加熱ができる位置に配置したときに前記振動装置により前記トッププレートを振動させて前記調理器具に振動を伝播させることにより、使用者に前記調理器具が最も効率的に加熱が可能な位置に配置できたことを報知する報知制御手段を備えたものである。これによって、調理器具の大きさや形状によらずトッププレートからの振動によって、調理器具と加熱装置との位置関係が最も効率よく加熱できる状態になるように報知することで、より精度よく加熱効率のよい位置で調理をすることができ、それによって省電力を行うことが可能とすることができる。
【００１９】
第２の発明は、特に、第１の発明において、前記調理器具が最も効率的に加熱が可能な位置から外れた位置に配置されているときに前記振動装置により、前記トッププレートを振動させて前記調理器具に振動を伝搬させることにより、使用者に前記調理器具が最も効率的に加熱が可能な位置から外れた位置に配置されたことを報知する報知制御手段を備えたものである。これによって、調理器具の大きさや形状によらずトッププレートからの振動によって、調理器具と加熱装置との位置関係が最も効率よく加熱できる状態になるように報知することで、より精度よく加熱効率のよい位置で調理をすることができ、省電力を行うことが可能とすることができる。
【００２０】
第３の発明は、特に、第２の発明において、調理器具を最も効率的に加熱できる位置から最も外れた位置に配置されているときに前記振動装置により前記調理器具を最も強く振動させ、前記調理器具が最も効率的に加熱できる位置に近づいた位置に移動された場合には振動を弱くすることにより、使用者が前記調理器具を最も効率的に加熱できる位置に配置できるように誘導・報知する報知制御手段を備えたものである。これによって、調理器具の大きさや形状によらずトッププレートからの振動によって調理器具と加熱装置との位置関係が最も効率よく加熱できる状態になるように誘導することが可能となり、より使い勝手よく、加熱効率のよい位置で調理をすることができ、それによって省電力を行うことが可能とすることができる。
【００２１】
第４の発明は、特に、第２の発明において、調理器具を最も効率的に加熱できる位置から最も外れた位置と、前記調理器具が最も効率的に加熱できる位置との間で、前記調理器具が最も効率的に加熱できる位置に移動するごとに段階的に異なる振動パターン（振動時間、振動間隔、振動の強弱の組合せ）で振動させることにより、使用者が前記調理器具を最も効率的に加熱できる位置に配置できるように誘導・報知する報知制御手段を備えたものである。これによって、調理器具の大きさや形状によらずトッププレートからの振動によって調理器具と加熱装置との位置関係が最も効率よく加熱できる状態になるように使用者にとって、より分かり易く誘導することが可能となり、より使い勝手よく、加熱効率のよい位置で調理をすることができ、それによって省電力を行うことが可能とすることができる。
【００２２】
第５の発明は、特に、第２の発明において、調理する食材を収容する調理器具を載置するトッププレートと、前記調理器具を電磁誘導により加熱させるための加熱装置を持つ電磁調理器において、前記調理器具の前記トッププレート上における配置位置の状態を検出することができる調理器具検知手段と、前記トッププレートを振動させる複数の振動装置と、前記調理器具検知手段により検出した前記調理器具の前記トッププレート上の配置位置と、前記加熱装置が最も効率的に前記調理器具を加熱できる配置位置とを比較する位置判定手段とを備え、前記調理器具が最も効率的に加熱できる位置から外れた位置に配置されているとき、前記複数の振動装置の中から最も前記調理器具に近い振動装置を強く振動させ、前記トッププレートを振動させて前記調理器具に振動を伝播させることにより、使用者に前記調理器具が最も効率的に加熱できる位置から外れた位置に配置されたことおよびどちらの方向に前記調理器具を移動させるべきかを報知・誘導することができる報知制御手段を備えたものである。
【００２３】
これによって、調理器具の大きさや形状によらずトッププレートからの振動によって調理器具と加熱装置との位置関係が最も効率よく加熱できる状態になるように修正移動で正しい方向に移動できたかどうかを報知し、振動が停止することで最適な位置に載置されたことを報知可能としているので、使用者にとって、より分かり易く誘導することが可能となり、より使い勝手よく、加熱効率のよい位置で調理をすることができ、それによって省電力を行うことが可能とすることができる。
【００２４】
以下に、本発明の実施の形態について、図面を参照しながら説明する。なお、この実施の形態によって本発明が限定されるものではない。
【００２５】
（実施の形態１）
図１は、本発明の第１の実施の形態における電磁調理器のブロック図である。
【００２６】
図１において、調理する食材を収容する調理器具１０１は、平坦なトッププレート１０２に載置される。通常、電磁調理器では、前記トッププレート１０２はスモーク耐熱ガラスなどの材質で構成されている。また、加熱は、前記トッププレート１０２の下に配置される駆動コイル１０４からの電磁波で前記調理器具１０１を直接加熱させて行う。加熱を指示すると、制御回路１０７は、加熱駆動回路１０６に加熱制御信号ｂによって前記駆動コイル１０４で電磁波を発生させるための加熱駆動信号ｃを出力させる。
【００２７】
センサ２０１（調理器具検知手段）は、前記駆動コイル１０４の内外に複数個配置されている。また、前記センサ２０１は、その上部に配置される前記駆動コイル１０４や前記トッププレート１０２の影響を受けずに前記トッププレート１０２上の前記調理器具１０１の有無を検知でき、その検知結果を調理器具センサ信号ｄとして出力することができる。
【００２８】
この前記センサ２０１の一例としては、光センサ等があり、この時は、前記トッププレート１０２は、電磁調理器内の前記センサ２０１に外部光が到達するように表面処理の一部を外光が透過する構造としたものを使用する。
【００２９】
位置判定手段２０５は、センサ２０１からの信号を入力して調理器具１０１の有無、載置された位置、大きさなどを算出・推定する。その推定結果と、既知である電磁調理器が最も効率よく加熱できる載置位置の比較を行う。
【００３０】
比較結果が一致、または予め定義した範囲内にない場合には、再び調理器具センサ信号ｄの取込みを行い、比較結果が一致、または予め定義した範囲内にある場合には、報知制御手段２０６より振動制御信号ｅを振動装置２０２に出して振動を発生させる。尚、本実
施の形態においては、制御回路１０７は、位置判定手段２０５と報知制御手段２０６とで構成している。
【００３１】
振動装置２０２は、トッププレート１０２の任意の場所に取り付けられ、発生した振動がトッププレート１０２に伝播する構造となっている。そして、前記トッププレートを振動させて前記調理器具に振動を伝播させることができる。
【００３２】
このように、本実施の形態では、前記センサ２０１からの前記調理器具センサ信号ｄから調理器具１０１の載置位置を算出・推定して、その推定結果と既知である電磁調理器が最も効率よく加熱できる載置位置との比較を行い、一致、または予め定義した範囲内にある場合に振動装置２０２に出して振動を発生させ、トッププレート１０２を介して調理器具１０１に振動を伝播させることで、調理器具１０１が最適な位置に載置されたことを報知可能としている。
【００３３】
以上のように構成された電磁調理器について、以下その動作、作用を説明する。
【００３４】
次に、図２により本実施の形態１における制御手順について、説明する。図２は、本発明の第１の実施の形態における電磁調理器の制御手順図である。
【００３５】
図２において、図１の電磁調理器の加熱を行うため主電源をオンにして、前記調理器具１０１を前記トッププレート１０２の上に置く、または電磁調理器の火力調節操作を行うと、前記制御回路１０７は前記センサ２０１からの前記調理器具センサ信号ｄの取込みを行い（Ｐ１０２）、前記調理器具１０１の有無、載置された位置、大きさなどを算出・推定する（Ｐ１０３）。
【００３６】
その推定結果と、既知である電磁調理器が最も効率よく加熱できる載置位置の比較を行う（Ｐ１０４）。この比較結果が一致、または予め定義した範囲内にない場合には、再び前記調理器具センサ信号ｄの取込みを行う（Ｐ１０２）。
【００３７】
比較結果が一致、または予め定義した範囲内にある場合には、前記制御回路１０７より前記振動制御信号ｅを前記振動装置２０２に出して（Ｐ１０５）振動を発生させる。これにより前記トッププレート１０２を介して前記調理器具１０１に振動が伝播する。
【００３８】
このように、本実施の形態では、前記センサ２０１からの前記調理器具センサ信号ｄから前記調理器具１０１の載置位置を算出・推定して、その推定結果と既知である電磁調理器が最も効率よく加熱できる載置位置との比較を行い、一致、または予め定義した範囲内にある場合に前記振動装置２０２に出して振動を発生させ、前記トッププレート１０２を介して前記調理器具１０１に振動を伝播させることで、前記調理器具１０１が最適な位置に載置されたことを報知可能としている。
【００３９】
（実施の形態２）
図３は、本発明の第２の実施の形態における電磁調理器の制御手順図である。本実施の形態における電磁調理器のブロック図は図１と同じである。図１において、加熱を行うため主電源をオンにして前記調理器具１０１を前記トッププレート１０２の上に置く、または電磁調理器の火力調節操作を行うと、前記制御回路１０７は前記センサ２０１からの前記調理器具センサ信号ｄの取込みを行い、前記調理器具１０１の有無、載置された位置、大きさ等を算出・推定する。その推定結果と、既知である電磁調理器が最も効率よく加熱できる載置位置の比較を行う。
【００４０】
図３では、前記図２における制御手順と異なり、この比較結果が一致、または予め定義
した範囲内にない場合は、前記制御回路１０７より前記振動制御信号ｅを前記振動装置２０２に出して（Ｐ２０５）振動を発生させる。
【００４１】
これにより、前記トッププレート１０２を介して前記調理器具１０１に振動が伝播する。その後、ユーザーにより前記調理器具１０１が修正移動されたかどうかを前記センサ２０１からの前記調理器具センサ信号ｄによって監視し、移動された場合は（Ｐ２０６）再び前記調理器具センサ信号ｄの取込み（Ｐ２０２）からの処理を行う。
【００４２】
比較結果が一致、または予め定義した範囲内に入った場合には、前記制御回路１０７から振動制御信号ｅにより振動装置の振動を停止する（Ｐ２０８）。
【００４３】
このように本実施の形態では、前記センサ２０１からの前記調理器具センサ信号ｄから前記調理器具１０１の載置位置を算出・推定して、その推定結果と既知である電磁調理器が最も効率よく加熱できる載置位置との比較を行い、一致、または予め定義した範囲内にない場合に前記振動装置２０２に出して振動を発生させ、前記トッププレート１０２を介して前記調理器具１０１に振動を伝播させることで、前記調理器具１０１が最適な位置に載置されていないことを報知し、振動が停止することで最適な位置に載置されたことを報知可能としている。
【００４４】
（実施の形態３）
図４は、本発明の第３の実施の形態における電磁調理器のブロック図である。図１では前記振動装置２０２が振動制御信号ｅでオン／オフのみで制御されているのに対して、図４ではレベル制御信号ｆで振動の強弱を制御している点に違いがある。図５により本実施の形態における制御手順について、説明する。図５は本発明の第３の実施の形態における電磁調理器の制御手順図である。図５において、図４の電磁調理器の加熱を行うため主電源をオンにして前記調理器具１０１を前記トッププレート１０２の上に置く、または電磁調理器の火力調節操作を行うと、前記制御回路１０８は前記センサ２０１からの前記調理器具センサ信号ｄの取込みを行い（Ｐ３０２）、前記調理器具１０１の有無、載置された位置、大きさなどを算出・推定する（Ｐ３０３）。
【００４５】
その推定結果と、既知である電磁調理器が最も効率よく加熱できる載置位置の比較を行う（Ｐ３０４）。この比較結果が一致、または予め定義した範囲内にない場合は、前記制御回路１０７より前記振動制御信号ｅを前記振動装置２０２に出して（Ｐ３０５）振動を発生させる。
【００４６】
ここで、予め定義した範囲ごとに対応した振動レベルを定義しておく。具体的には、載置された前記調理器具１０１の推定位置が効率よく加熱できる最適範囲から遠ければ遠いほど、前記制御回路１０８は大きな振動レベルで出力するように前記レベル制御信号ｅを前記振動装置２０２に出して振動を発生させる。
【００４７】
これにより、前記トッププレート１０２を介して前記調理器具１０１には載置された位置に応じて効率よく加熱できる最適範囲から遠ければ遠いほど、大きな振動レベルで振動が伝播する。
【００４８】
その後、ユーザーにより前記調理器具１０１が修正移動されたかどうかを前記センサ２０１からの前記調理器具センサ信号ｄによって監視し（Ｐ３０７）、移動された場合は再び前記調理器具センサ信号ｄの取込みからの処理を行う（Ｐ３０２）。
【００４９】
比較結果が予め定義した最適範囲から遠ざかると振動は大きくなり、逆に近づくと小さくなる。比較結果が一致、または予め定義した最適範囲内に入った場合は、前記制御回路
１０８から振動制御信号ｅにより振動装置２０２の振動を停止する。
【００５０】
このように本実施の形態では、前記センサ２０１からの前記調理器具センサ信号ｄから前記調理器具１０１の載置位置を算出・推定して、その推定結果と既知である電磁調理器が最も効率よく加熱できる載置位置との比較を行い、一致、または予め定義した最適範囲にない場合に前記振動装置２０２に出して振動を発生させ、前記トッププレート１０２を介して前記調理器具１０１に振動を伝播させ、その振動の強弱で前記調理器具１０１が最適な位置に載置されていないこと、修正移動で正しい方向に移動できたかどうかを報知し、振動が停止することで最適な位置に載置されたことを報知可能としている。
【００５１】
（実施の形態４）
図６は、本発明の第４の実施の形態における電磁調理器のブロック図である。図４では前記振動装置２０２が前記振動制御信号ｅでオン／オフと前記レベル制御信号ｆにより振動の強弱を制御しているのに対して、図６では前記レベル制御信号ｆに代えてパターン制御信号ｇにて振動の強弱の長さや振動の間隔を変えて振動パターンを制御している点に違いがある。
図７により本発明の第４の実施の形態における制御手順について、説明する。図７は本発明の第４の実施の形態における電磁調理器の制御手順図である。
【００５２】
図７において、図４の電磁調理器の加熱を行うため主電源をオンにして前記調理器具１０１を前記トッププレート１０２の上に置く、または電磁調理器の火力調節操作を行うと、前記制御回路１０９は前記センサ２０１からの前記調理器具センサ信号ｄの取込みを行い（Ｐ４０２）、前記調理器具１０１の有無、載置された位置、大きさなどを算出・推定する（Ｐ４０３）。その推定結果と、既知である電磁調理器が最も効率よく加熱できる載置位置の比較を行う（Ｐ４０４）。この比較結果が一致、または予め定義した範囲内にない場合は、前記制御回路１０９より前記振動制御信号ｅを前記振動装置２０２に出して（Ｐ４０５）振動を発生させる。
【００５３】
ここで、予め定義した範囲ごとに対応した振動パターンを定義しておく。具体的には、載置された前記調理器具１０１の推定位置が効率よく加熱できる最適範囲から遠ければ遠いほど、前記制御回路１０９は長い振動と長い休止を繰り返すパターンで出力するように前記レベル制御信号ｅを前記振動装置２０２に出して振動を発生させる。
【００５４】
これにより、前記トッププレート１０２を介して前記調理器具１０１には載置された位置に応じて効率よく加熱できる最適範囲から遠ければ遠いほど、長い振動と長い休止を繰り返すパターンで振動が伝播する。その後、ユーザーにより前記調理器具１０１が修正移動されたかどうかを前記センサ２０１からの前記調理器具センサ信号ｄによって監視し（Ｐ４０７）、移動された場合は再び前記調理器具センサ信号ｄの取込みからの処理を行う（Ｐ４０２）。比較結果が予め定義した最適範囲から遠ざかると振動および休止時間が長い振動パターンになり、逆に近づくと振動および休止時間が短い振動パターンになる。
【００５５】
比較結果が一致、または予め定義した最適範囲内に入った場合は、前記制御回路１０９から振動制御信号ｅにより振動装置の振動を停止する（Ｐ４０９）。
【００５６】
このように本実施の形態では、前記センサ２０１からの前記調理器具センサ信号ｄから前記調理器具１０１の載置位置を算出・推定して、その推定結果と既知である電磁調理器が最も効率よく加熱できる載置位置との比較を行い、一致、または予め定義した最適範囲にない場合に前記振動装置２０２に出して振動を発生させ、前記トッププレート１０２を介して前記調理器具１０１に振動を伝播させ、その振動のパターンの違いで前記調理器具１０１が最適な位置に載置されていないこと、修正移動で正しい方向に移動できたかどう
かを報知し、振動が停止することで最適な位置に載置されたことを報知可能としている。
【００５７】
なお、上記では比較結果が予め定義した最適範囲から遠ざかると振動および休止時間が長い振動パターンになり、逆に近づくと振動および休止時間が短い振動パターンとしたが、逆に比較結果が予め定義した最適範囲から遠ざかると振動および休止時間が短い振動パターンになり、逆に近づくと振動および休止時間が長い振動パターンとしてもよい。
【００５８】
更に、予め定義した範囲ごとに全く違う振動パターンを定義してもよく、ユーザーがその振動パターンの違いを検知することで、前記調理器具１０１を最適な位置に載置できるよう報知・誘導することができる。
【００５９】
（実施の形態５）
図８は、本発明の第５の実施の形態における電磁調理器のブロック図である。図３では前記振動装置２０２が１つで、振動制御信号ｅとレベル制御信号ｆで制御されているのに対して、図８では複数の振動装置２０２を調理器具１０１を囲むように配置し、複数のレベル制御信号ｈで振動の強弱を制御している点に違いがある。
【００６０】
複数の振動装置を調理器具を取り囲むように配置し、調理器具の載置位置と、最も効率よく加熱できる載置位置との比較を行い、予め定義した範囲ごとに対応した振動レベルを定義しておくことで、調理器具の載置位置に応じた大きさの振動を複数の振動装置で発生させる制御回路を備えている。
【００６１】
この場合も予め定義した範囲ごとに対応した振動レベルを定義しておく。具体的には、載置された前記調理器具１０１の推定位置が効率よく加熱できる最適範囲から遠ければ遠いほど、前記制御回路１１０は大きな振動レベルで出力するように前記レベル制御信号ｅを前記振動装置２０２に出して振動を発生させる。
【００６２】
これにより前記トッププレート１０２を介して前記調理器具１０１には載置された位置に応じて効率よく加熱できる最適範囲から遠ければ遠いほど、大きな振動レベルで振動が伝播する。ただし、この時載置されている前記調理器具１０１が最適な載置位置に対して、どの方向の前記振動装置２０２の方にずれているかを算出し、その方向の前記振動装置をより強く振動させ、逆に載置されている前記調理器具１０１が最適な載置位置に対して、近い方向にある前記振動装置２０２は弱く振動させる。
【００６３】
その後、ユーザーにより前記調理器具１０１が修正移動されたかどうかを前記センサ２０１からの前記調理器具センサ信号ｄによって監視し、移動された場合は再び前記調理器具センサ信号ｄの取込みからの処理を行う。
【００６４】
比較結果が予め定義した最適範囲から遠ざかると、その方向の振動は大きくなり、逆に近づく方向の振動は小さくなる。比較結果が一致、または予め定義した最適範囲内に入った場合は、前記制御回路１０７から振動制御信号ｅにより振動装置２０２の振動を停止する。
【００６５】
このように、本実施の形態では、前記センサ２０１からの前記調理器具センサ信号ｄから前記調理器具１０１の載置位置を算出・推定して、その推定結果と既知である電磁調理器が最も効率よく加熱できる載置位置との比較を行い、一致、または予め定義した最適範囲にない場合に複数の前記振動装置２０２に出して振動を発生させ、前記トッププレート１０２を介して前記調理器具１０１に振動を伝播させ、その振動の強弱で前記調理器具１０１が最適な位置に載置されていないこと、修正移動で正しい方向に移動できたかどうかを報知し、振動が停止することで最適な位置に載置されたことを報知可能としている。
【００６６】
なお、上記では複数の振動装置により振動の強弱で報知するものとしたが、比較結果が予め定義した最適範囲から遠ざかると振動および休止時間が長い振動パターンになり、逆に近づくと振動および休止時間が短い振動パターンというように複数の振動装置のそれぞれの振動パターンの変化で前記調理器具１０１が最適位置からずれている方向を検知できるようにしてもよい。
【００６７】
更に、複数の振動装置ごとに全く違う振動パターンを定義することで、その振動パターンの違いで前記調理器具１０１が最適位置からずれている方向を検知できるようにすることで、前記調理器具１０１を最適な位置に載置できるよう報知・誘導することができる。
【００６８】
また、本発明の実施の形態２〜５において、ユーザーが修正移動を一定時間しないで、振動報知が一定時間を越えた場合にはユーザーが位置修正をそれ以上必要としていないと見て、前記制御回路１０７から振動制御信号ｅにより前記振動装置２０２の振動を停止させてもよい。
【００６９】
また、前記振動装置２０２を大きな出力が出るものにすることで、振動そのものによって前記調理器具１０１を最も効率よく加熱できる載置位置に移動させることができるようにしてもよい。
【産業上の利用可能性】
【００７０】
以上のように、本発明にかかる電磁調理器は、調理器具の大きさや形状によらずトッププレートの振動によって調理器具と加熱装置との位置関係が最も効率よく加熱できる位置になるように報知および誘導することで、より精度よく加熱効率のよい位置で調理をできることで省電力を行うことができ、更に目の不自由な人やレシピを見ながらの調理においても精度よく加熱効率のよい位置で調理可能となるので、電磁調理器の用途に有効である。
【符号の説明】
【００７１】
１０１  調理器具
１０２  トッププレート
１０４  駆動コイル
１０６  加熱駆動回路
１０７  制御回路
２０１  センサ（調理器具検知手段）
２０２  振動装置
２０５  位置判定手段
２０６  報知制御手段
【図２】
2011124116.tif 000003
【図３】
2011124116.tif 000004
【図５】
2011124116.tif 000005
【図７】
2011124116.tif 000006
【図１】
2011124116.tif 000007
【図４】
2011124116.tif 000008
【図６】
2011124116.tif 000009
【図８】
2011124116.tif 000010
【図９】
2011124116.tif 000011